(57)【要約】【課題】少人数の識別用ＩＤコードを受信し、記憶する安価なＩＤ判別装置を複数備えている分散式入退室管理システムを提供する。【解決手段】分散式入退室管理システムは、施設に出動した人が所持している個人識別携帯媒体から読み込んだＩＤコードが予め記憶されている識別用ＩＤコードの中に含まれているとき、上記施設の出入口の扉の電気錠を解錠する上記施設に設けられたＩＤ判別装置と上記ＩＤ判別装置に予め記憶するために上記識別用ＩＤコードを伝送するセンターに設けられた中央管理装置とが備えられ、上記センターから遠隔地に点在する複数の上記施設の入退室を管理する分散式入退室管理システムにおいて、上記中央管理装置は、少なくとも出動が予定されている人の上記識別用ＩＤコードを出動する直前に出動対象の上記施設の上記ＩＤ判別装置に伝送する。【選択図】図１
2006089975.tif 000002
【特許請求の範囲】
【請求項１】
施設に出動した人が所持している個人識別携帯媒体から読み込んだＩＤコードが予め記憶されている識別用ＩＤコードの中に含まれているとき、上記施設の出入口の扉の電気錠を解錠する上記施設に設けられたＩＤ判別装置と上記各ＩＤ判別装置に記憶するために予め上記識別用ＩＤコードを伝送するセンターに設けられた中央管理装置とが備えられた分散式入退室管理システムにおいて、
上記中央管理装置は、少なくとも出動が予定されている人の上記識別用ＩＤコードを出動する直前に出動対象の上記施設の上記ＩＤ判別装置に伝送することを特徴とする分散式入退室管理システム。
【請求項２】
上記中央管理装置は、少なくとも出動対象の上記施設の上記ＩＤ判別装置を識別する装置識別コードと上記識別用ＩＤコードとが入力されることを特徴とする請求項１に記載の分散式入退出管理システム。
【請求項３】
上記中央管理装置に接続され、出動が予定されている人が所持する個人識別携帯媒体からその人の上記識別用ＩＤコードを読み込むと共に出動対象の上記施設の上記ＩＤ判別装置を識別する装置識別コードが入力され、その上記識別用ＩＤコードと上記装置識別コードとを上記中央管理装置に送信するＩＤ入力装置を備えたことを特徴とする請求項１に記載の分散式入退室管理システム。
【請求項４】
上記ＩＤ判別装置は、上記施設に入った人が上記施設外に出たとき、上記記憶されているその人の上記識別用ＩＤコードを削除することを特徴とする請求項１に記載の分散式入退室管理システム。
【請求項５】
上記ＩＤ判別装置は、読み込んだ上記ＩＤコードが予め記憶されている上記識別用ＩＤコードの中に含まれているとき、上記施設の出入口の扉の電気錠を解錠し、それから上記施設に入った人が上記施設外に出るまで該電気錠を解錠状態に維持することを特徴とする請求項１に記載の分散式入退室管理システム。
【請求項６】
上記ＩＤ判別装置は、読み込んだ上記ＩＤコードが予め記憶されている上記識別用ＩＤコードの中に含まれているとき、上記施設の出入口の扉の電気錠を解錠し、それから所定の時間経過後上記電気錠を旋錠することを特徴とする請求項１に記載の分散式入退室管理システム。
【請求項７】
上記ＩＤ判別装置は、上記旋錠後、記憶されている上記識別用ＩＤコードを削除することを特徴とする請求項６に記載の分散式入退室管理システム。
【請求項８】
上記ＩＤコードは、出動する人が所持する携帯電話機の携帯電話番号であることを特徴とする請求項１に記載の分散式入退室管理システム。
【発明の詳細な説明】
【技術分野】
【０００１】
この発明は、遠隔地に点在し、入退室の管理が行われている複数の施設への入退室を管理する分散式入退室管理システムに関する。
【背景技術】
【０００２】
従来の分散式入退室管理システムは、磁気カードに記憶されたＩＤコードを、個々の施設に設けられたカードリーダで読み取り、その読み取ったＩＤコードが予め登録された識別用ＩＤコードに一致したときにのみ、電気錠を解錠して施設への入室を許可する、個々にアドレスが割り当てられた複数のＩＤ判別装置が、公衆電話回線を介して中央のセンター装置に接続されて構成されている。そして、ＩＤ判別装置のそれぞれが処理すべき識別用ＩＤコードが、センター装置側において設定された後、ＩＤ判別装置側に設けられたメモリ部に伝送されることによって、システム内の個々のＩＤ判別装置で分散処理が行われる（例えば、特許文献１参照）。
【０００３】
【特許文献１】特開平３−１０３５８２号公報
【発明の開示】
【発明が解決しようとする課題】
【０００４】
しかし、従来の分散式入退室管理システムは、各施設に設けられたＩＤ判別装置に許可された全員分の識別用ＩＤコードが伝送されているので、記憶容量の大きな記憶部を有するＩＤ判別装置を各施設に備えなければならないために、費用が嵩んでしまうという問題がある。
また、人事異動などで異なった人が許可される毎に、全員分の識別用ＩＤコードがＩＤ判別装置に公衆電話回線を介して伝送されているので、識別用ＩＤコードの伝送に掛かる通信費が嵩んでしまうという問題がある。
【０００５】
この発明の目的は、必要最小限の識別用ＩＤコードを受信し、記憶する安価なＩＤ判別装置を複数備えている分散式入退室管理システムを提供することである。
【課題を解決するための手段】
【０００６】
この発明に係わる分散式入退室管理システムは、センターから遠隔地に点在する複数の施設の入退室を管理する、上記施設に出動した人が所持している個人識別携帯媒体から読み込んだＩＤコードが予め記憶されているＩＤコードの中に含まれているとき、上記施設の出入口の扉の電気錠を解錠する上記施設に設けられたＩＤ判別装置、予め上記ＩＤコードを上記各ＩＤ判別装置に伝送する上記センターに設けられた中央管理装置が備えられた分散式入退室管理システムにおいて、上記中央管理装置は、少なくとも出動が予定されている人のＩＤコードを出動する直前に出動対象の上記施設の上記ＩＤ判別装置に伝送する。
【発明の効果】
【０００７】
この発明に係わる分散式入退室管理システムの効果は、出動の予定が決まってから該当する人の識別用ＩＤコードをＩＤ判別装置に送信し、退室が完了した段階でその識別用ＩＤコードを削除するので、識別用ＩＤコードを記憶するＩＤ判別装置の記憶容量を必要最小限に抑えることができ、ＩＤ判別装置が廉価になり、分散式入退室管理システムの価格を低減することができる。
【発明を実施するための最良の形態】
【０００８】
実施の形態１．
図１は、この発明の実施の形態１に係わる分散式入退室管理システムのブロック図である。図２は、図１の中央管理装置のブロック図である。図３は、図１のＩＤ入力装置の斜視図である。図４は、図１のＩＤ入力装置のブロック図である。図５は、図１のＩＤ判別装置の斜視図である。図６は、図１のＩＤ判別装置のブロック図である。
【０００９】
この発明の実施の形態１に係わる分散式入退室管理システム１は、地理的に分散して設置されている変電所への入退室を管理するシステムである。なお、この発明の実施の形態を変電所への入退室の管理に例を挙げて説明するが、例えば、携帯電話会社の基地局や鉄道会社の連動制御室など地理的に分散されて設置されている複数の機器室への入退室管理に適用することができる。
そして、分散式入退室管理システム１では、センター２に常勤する保守員３が、サービスカー４に乗車して変電所５ａ〜５ｎをパトロールする、または、非常時に点検・復旧のために出動する変電所保守システムに併設されている。
【００１０】
また、分散式入退室管理システム１は、各保守員３に支給され、各自のＩＤコードが記憶されている個人識別携帯媒体としての非接触ＩＣカード６、センター２に備えられる中央管理装置７、中央管理装置７に識別用ＩＤコードと装置識別コードとを入力するＩＤ入力装置８、各変電所５ａ〜５ｎにそれぞれ備えられるＩＤ判別装置９、変電所５ａ〜５ｎの出入口１０に備えられた扉１１、扉１１を旋解錠する電気錠１２から構成されている。
このＩＤコードとして、数列や名前など個人を識別することができるものであれば、どのようなものでも用いることができる。
そして、中央管理装置７と各ＩＤ判別装置９とが公衆電話回線１３を介して接続され、ＩＤ入力装置８は中央管理装置７に接続され、電気錠１２はＩＤ判別装置９に接続されている。なお、公衆電話回線１３により中央管理装置７と各ＩＤ判別装置９とを接続しているが、インターネットや無線回線など回線の種類に限りはない。
【００１１】
この分散式入退室管理システム１では、個人識別携帯媒体として各保守員３のＩＤコードが記憶されている非接触ＩＣカード６が用いられている。なお、個人識別携帯媒体は、磁気カード、接触型ＩＣカード、近距離通信機能を有する携帯電話などＩＤコードが記憶され、ＩＤ判別装置９との間で送受信できるものであれば、この発明に用いることができる。また、指紋、虹彩、網膜、顔形などのバイオメトリクス情報を単独で、または併用して使用しても同様にできる。
【００１２】
中央管理装置７は、図２に示すように、ＩＤ入力装置８との間および公衆電話回線１３を介してＩＤ判別装置９との間で通信を行う伝送インターフェース２１、ＩＤ入力装置８またはキーボード２２から入力された識別用ＩＤコードがＲＡＭ２３に記憶されている保守員３全員の識別用ＩＤコードの中に有るか無いかを判断し、有無に従ってＩＤ入力装置８または表示部２４にＯＫ／ＮＧ信号を送信し、さらに、入力されたＩＤコードが記憶されている識別用ＩＤコードの中にあるとき、ＩＤ入力装置８またはキーボード２２から入力された装置識別コードとその識別用ＩＤコードを結合してその装置識別コードのＩＤ判別装置９に伝送するＣＰＵ２５、ＣＰＵ２５を制御するプログラムが記憶されているＲＯＭ２６、保守員３全員の識別用ＩＤコード、ＩＤ入力装置８から受信した識別用ＩＤコードおよび装置識別コードを記憶するＲＡＭ２３、データの出力に係わる表示部２４、データの入力に係わるキーボード２２から構成されている。
【００１３】
ＩＤ入力装置８は、図３、図４に示すように、非接触ＩＣカード６からＩＤコードを読み取るカードリーダーヘッド３１、ＩＤ判別装置９に割り付けられている装置識別コードを入力する装置識別コード入力部としてのテンキー３２、読み取ったＩＤコードを識別用ＩＤコードとして装置識別コードと一緒に中央管理装置７に送信し、中央管理装置７からの登録が完了したか否かの信号を受信する伝送インターフェース３３、ＩＤ入力装置８全体を制御するＣＰＵ３４、ＣＰＵ３４を制御するプログラムが記憶されているＲＯＭ３５、読み取ったＩＤコードと入力された装置識別コードとを一旦記憶するＲＡＭ３６、登録が完了したか否かを表示する表示部３７から構成されている。
【００１４】
ＩＤ判別装置９は、図５、図６に示すように、公衆電話回線１３を介して中央管理装置７との間および電気錠１２との間で通信を行う伝送インターフェース４１、非接触ＩＣカード６からＩＤコードを読み取るカードリーダーヘッド４２、中央管理装置７から受信した識別用ＩＤコードを記憶するＲＡＭ４３、カードリーダーヘッド４２から読み取ったＩＤコードとＲＡＭ４３に記憶されている識別用ＩＤコードとが一致しているとき電気錠１２に解錠指令を送信するＣＰＵ４４、ＣＰＵ４４を制御するプログラムが記憶されているＲＯＭ４５、解錠が許可されるか否かを、また解錠状態にあるのか否かを表示する表示部４６から構成されている。
【００１５】
次に、変電所５に出動するときのセンター２側において行われる手順について図７を参照して説明する。図７は、出動に先立って出動する保守員３の識別用ＩＤコードをＩＤ判別装置に送る手順を示すフローチャートである。
センター２側から、出動する保守員３の識別用ＩＤコードを、出動対象の変電所５に設置されているＩＤ判別装置９に前もって送ることが必要になる。そして、緊急を要する場合、巡回中のサービスカー４に乗っている保守員３を振り向け、緊急を要さない場合、センター２から保守員３を派遣することになっている。
ステップ１０１で、保守員３は変電所５に出動する必要が生じたか否を判断する。必要が生じていないとき、ステップ１０１を繰り返し、必要が生じたときステップ１０２へ進む。
ステップ１０２で、保守員３は巡回中のサービスカー４の保守員３が対応する程、緊急性があるか否かを判断する。緊急性がない場合、ステップ１０７へ進み、緊急性がある場合、ステップ１０３へ進む。
ステップ１０３で、保守員３は巡回中のサービスカー４に乗っている保守員３の識別用ＩＤコードをキーボード２２から入力してステップ１０４へ進む。
ステップ１０４で、入力された識別用ＩＤコードがＲＡＭ２３に記憶されている識別用ＩＤコードの中に有るか否かを判断する。ない場合、ステップ１０３へ戻る。ある場合、ステップ１０５へ進む。
ステップ１０５で、出動対象の変電所５に設置されているＩＤ判別装置９の装置識別コードをキーボード２２から入力してステップ１０６へ進む。
ステップ１０６で、中央管理装置７から公衆電話回線１３を介して、入力された保守員３の識別用ＩＤコードが入力された装置識別コードのＩＤ判別装置９に伝送される。このようにしてサービスカー４に乗っている保守員３を派遣する場合のセンター２側の手順は終了する。
一方、緊急を要さない場合、ステップ１０７で、センター２に待機している保守員３が自身の非接触ＩＣカード６を用いてＩＤ入力装置８からＩＤコードを読み込む。そして、ＩＤ入力装置８は、このＩＤコードを識別用ＩＤコードとして中央管理装置７に伝送して、ステップ１０８へ進む。
ステップ１０８で、中央管理装置７がＲＡＭ２３に予め記憶されている保守員３全員の識別用ＩＤコードとＩＤ入力装置８から伝送されてきた識別用ＩＤコードとを比較し、同じ識別用ＩＤコードがないとき不許可信号をＩＤ入力装置８に送信する。そしてＩＤ入力装置８が不許可信号を受信し、表示部３７のＮＧ灯を一時点灯して、ステップ１０７へ戻る。他方、中央管理装置７は、同じ識別用ＩＤコードがあるとき許可信号をＩＤ入装置８に送信する。ＩＤ入力装置８が許可信号を受信し、表示部３７のＯＫ灯を一時点灯して、ステップ１０９へ進む。
ステップ１０９で、出動する変電所５のＩＤ判別装置９の装置識別コードをテンキー３２から入力して、その装置識別コードを中央管理装置７に送信し、ステップ１０６に進む。
このようにして派遣される先の変電所５のＩＤ判別装置９に派遣される保守員３の識別用ＩＤコードが予め伝送される。
【００１６】
次に、出動対象の変電所５に到達した保守員３が施設内に入るまでの手順について図８を参照して説明する。図８は、保守員が施設内に入るまでの手順を示すフローチャートである。
ステップ２０１で、カードリーダーヘッド４２からＩＤコードが読み込まれたか否かを判断する。ＩＤコードが読み込まれていないとき、ステップ２０１を繰り返し、ＩＤコードが読み込まれたとき、ステップ２０２へ進む。
ステップ２０２で、読み込まれたＩＤコードがＲＡＭ４３に記憶されている識別用ＩＤコードの中にあるのか否かを判断する。記憶されている識別用ＩＤコードの中に読み込まれたＩＤコードがないとき、表示部４６のＮＧ灯を一時点灯して、ステップ２０１へ戻る。記憶されている識別用ＩＤコードの中に読み込まれたＩＤコードがあるとき、表示部４６のＯＫ灯を一時点灯して、ステップ２０３へ進む。
ステップ２０３で、読込フラグの状態から読み込まれたＩＤコードの読込が２回目か否かを判断し、１回目のとき、読込フラグに１をたててステップ２０４へ進み、２回目のとき、読込フラグに０をたててステップ３０４へ進む。読込フラグには、識別用ＩＤコードが中央管理装置７から送られたとき０がたてられ、ＩＤコードの読込が１回行われたとき、１がたてられるので、読込フラグが０であれば初回の読込であり、１であれば２回目の読込であると判断できる。
ステップ２０４で、電気錠１２が旋錠されているか否かを判断する。電気錠１２が解錠されているとき、ステップ２０７へ進む。電気錠１２が解錠されていないとき、ステップ２０５へ進む。
ステップ２０５で、電気錠１２を解錠して、ステップ２０６へ進む。
ステップ２０６で、表示部４６の解錠ランプを点灯して、保守員３が扉１１を開けて変電所５内に入る。
ステップ２０７で、すでに他の保守員３により解錠されており、自身は解錠する必要がないので、読み込まれたＩＤコードに一致するＲＡＭ４３内の識別用ＩＤコードを削除し、保守員３が扉１１を開けて変電所５内に入る。
【００１７】
次に、変電所５内において保守員３の当初の作業が完了したとき、保守員３が変電所５外に出るまでの手順について図９を参照して説明する。図９は、保守員３が変電所５外に出るときの手順を示すフローチャートである。
ステップ２０１からステップ２０３までは図８に示された入室の手順と同様である。そして、退室の場合、ＩＤコードの読込が２回目になるので、ステップ３０４から手順が進められる。
ステップ３０４で、読み込まれたＩＤコードに一致するＲＡＭ４３内の識別用ＩＤコードを削除してステップ３０５へ進む。
ステップ３０５で、電気錠１２を旋錠する。
ステップ３０６で、表示部４６の解錠ランプを消灯して退室の手順を終了する。
【００１８】
このような分散式入退室管理システム１は、出動の予定が決まってから該当する人の識別用ＩＤコードがＩＤ判別装置に伝送され、退室が完了した段階でその識別用ＩＤコードを削除するので、識別用ＩＤコードを記憶するＩＤ判別装置９の記憶容量を必要最小限に抑えることができ、ＩＤ判別装置９が廉価になり、分散式入退室管理システム１の価格を低減することができる。
また、中央管理装置７から送られる識別用ＩＤコードが多くても数個だけで良いので、識別用ＩＤコードを送信する通信費が削減できる。
【００１９】
なお、保守員３の入室の際に電気錠１２が解錠されると、そのまま解錠状態に維持され、保守員３の退室のとき旋錠される例について説明したが、入室と退室のときそれぞれ解錠と旋錠を行ってもよい。このときは、解錠後保守員３が入室するために充分な所定の時間が経過したのち、旋錠が行われ、当事者だけが入室できるので、セキュリティが確保できる。
また、識別用ＩＤコードの削除がＩＤ判別装置９のＣＰＵ４４により行われた例について説明したが、ＩＤ判別装置９にスイッチを設けて、保守員３が手動で行っても良い。
また、保守などで変電所５に入るタイムスケジュールが予め決まっているときであれば、そのタイムスケジュールに従って識別用ＩＤコードを所定のＩＤ判別装置９に伝送しておくことができる。
【００２０】
実施の形態２．
図１０は、この発明の実施の形態２に係わる分散式入退室管理システムのブロック図である。
この実施の形態２に係わる分散式入退室管理システム１ｂは、図１０に示すように、サービスカー４にＩＤ入力装置８ｂが搭載されていることが実施の形態１の分散式入退室管理システム１と異なり、その他は同様であるので、同様な部分の説明は省略する。
ＩＤ入力装置８ｂは、入力された識別用ＩＤコードおよび装置識別コードを中央管理装置７に伝送するための携帯電話システムに適合した図示しない無線送信器が実施の形態１のＩＤ入力装置８の伝送インターフェース３３に接続されている。
そして、出動が緊急を要するとき、サービスカー４に乗っている保守員３がＩＤ入力装置８ｂから識別用ＩＤコードと装置識別コードとを入力し、中央管理装置７に伝送している。
【００２１】
このような分散式入退室管理システム１ｂは、出動対象の近くにいるサービスカー４から出動できるので、タイムリーな対応が可能になる。
【００２２】
実施の形態３．
図１１は、この発明の実施の形態３に係わる分散式入退室管理システムのブロック図である。
この実施の形態３に係わる分散式入退室管理システム１ｃでは、図１１に示すように、個人識別携帯媒体が携帯電話機６ｃであり、ＩＤコードが携帯電話番号からなることが実施の形態１の分散式入退室管理システム１と異なり、その他は同様であるので、同様な部分の説明は省略する。
中央管理装置７では、ＲＡＭ２３に保守員３が所持している携帯電話機６ｃの携帯電話番号が識別用ＩＤコードとして記憶されている。また、ＩＤ入力装置８ｃは、ＩＤ入力装置８ｃに備えられた携帯電話機６ｃに保守員３の携帯電話機６ｃから電話が掛けられたとき、その掛かってきた携帯電話番号を識別用ＩＤコードとして中央管理装置７に伝送し、さらに、ＩＤ判別装置９ｃに送られる。
ＩＤ判別装置９ｃでは、送られてきた識別用ＩＤコードとしての携帯電話番号をＲＡＭ４３に記憶する。
そして、保守員３が所持する携帯電話機６ｃからＩＤ判別装置９ｃに備えられた携帯電話機に電話を掛けると、ＩＤ判別装置９ｃは、その携帯電話番号と先に送られてＲＡＭ４３に記憶されている携帯電話番号とを比較して一致したとき電気錠１２を解錠する。
【００２３】
このような分散式入退室管理システムは、携帯電話番号をＩＤコードとして用いるので、新たに個人識別携帯媒体を用意しなくてもいいので、簡素なシステムを提供することができる。
また、識別用ＩＤコードの入力は遠隔地から携帯電話を掛けることにより行われるので、センターに出向かなくてもよく、迅速な識別用ＩＤコードの入力が行える。
【図面の簡単な説明】
【００２４】
【図１】この発明の実施の形態１に係わる分散式入退室管理システムのブロック図である。
【図２】図１の中央管理装置のブロック図である。
【図３】図１のＩＤ入力装置の斜視図である。
【図４】図１のＩＤ入力装置のブロック図である。
【図５】図１のＩＤ判別装置の斜視図である。
【図６】図１のＩＤ判別装置のブロック図である。
【図７】出動に先立って出動する保守員の識別用ＩＤコードをＩＤ判別装置に送る手順を示すフローチャートである。
【図８】保守員が施設内に入るまでの手順を示すフローチャートである。
【図９】保守員が施設外に出るときの手順を示すフローチャートである。
【図１０】この発明の実施の形態２に係わる分散式入退室管理システムのブロック図である。
【図１１】この発明の実施の形態３に係わる分散式入退室管理システムのブロック図である。
【符号の説明】
【００２５】
１、１ｂ、１ｃ  分散式入退室管理システム、２  センター、３  保守員、４  サービスカー、５  変電所、６  非接触ＩＣカード、６ｃ  携帯電話機、７  中央管理装置、８、８ｂ、８ｃ  ＩＤ入力装置、９、９ｃ  ＩＤ判別装置、１０  出入口、１１  扉、１２  電気錠、１３  公衆電話回線、２１、３３、４１  伝送インターフェース、２２  キーボード、２４、３７、４６  表示部、３１、４２  カードリーダーヘッド、３２  テンキー。
【図１】
2006089975.tif 000003
【図２】
2006089975.tif 000004
【図３】
2006089975.tif 000005
【図４】
2006089975.tif 000006
【図５】
2006089975.tif 000007
【図６】
2006089975.tif 000008
【図７】
2006089975.tif 000009
【図８】
2006089975.tif 000010
【図９】
2006089975.tif 000011
【図１０】
2006089975.tif 000012
【図１１】
2006089975.tif 000013